(57)【要約】【課題】放射線画像表示装置において、観察者が正確に立体視できる状態において立体視表示を行う。【解決手段】装着判別部４３２が観察者が立体視眼鏡４２を装着しているか否かを判別する。位置判別部４３３が立体視眼鏡４２が有効空間Ｓ内に位置しているか否かを判別する。表示制御部４３４が、観察者が立体視眼鏡４２を装着し且つ立体視眼鏡４２が有効空間Ｓ内に位置する場合に、立体視表示を行うようにモニタ４１を制御する。【選択図】図３
2013013716.tif 000002
【特許請求の範囲】
【請求項１】
所定の視差に対応する２つの撮影方向から被写体を放射線撮影して得られた右眼用放射線画像および左眼用放射線画像に対し、前記右眼用放射線画像のみを観察者の右眼に、前記左眼用放射線画像のみを観察者の左眼に入射させる立体視眼鏡と、
前記右眼用放射線画像または前記左眼用放射線画像のいずれかを表示して前記観察者に平面視させる平面視表示と、前記右眼用放射線画像および前記左眼用放射線画像の両方を表示して前記立体視眼鏡を介して前記観察者に立体視させる立体視表示とを選択的に行う表示部と、
前記観察者が前記立体視眼鏡を装着しているか否かを判別する装着判別部と、
前記立体視眼鏡が所定空間内に位置しているか否かを判別する位置判別部と、
前記表示部を制御する表示制御部とを備え、
該表示制御部が、前記観察者が前記立体視眼鏡を装着し、且つ該立体視眼鏡が所定空間内に位置する場合に、前記立体視表示を行うように前記表示部を制御することを特徴とする放射線画像表示装置。
【請求項２】
前記表示制御部が、前記観察者が前記立体視眼鏡を装着していないか、もしくは、該立体視眼鏡が前記所定空間内に位置していない場合、前記平面視表示を行うように前記表示部を制御することを特徴とする請求項１に記載の放射線画像表示装置。
【請求項３】
前記観察者から前記平面視表示を行う旨の指示を受け付ける指示受付部を備え、
前記観察者からの前記指示を受け付けた場合、前記表示制御部が、前記平面視表示を優先的に行うように前記表示部を制御することを特徴とする請求項１または２に記載の放射線画像表示装置。
【請求項４】
前記平面視表示を行う際、前記表示部が、前記右眼用放射線画像または前記左眼用放射線画像のいずれかが前記立体視眼鏡を介して前記観察者の両眼に入射するように、前記平面視表示を行うことを特徴とする請求項１〜３のいずれか１項に記載の放射線画像表示装置。
【請求項５】
前記平面視表示を行う際、前記立体視眼鏡が、前記右眼用放射線画像または前記左眼用放射線画像のいずれかを前記観察者の両眼に入射させるものであることを特徴とする請求項１〜３のいずれか１項に記載の放射線画像表示装置。
【請求項６】
所定の視差に対応する２つの撮影方向から被写体を放射線撮影して得られた右眼用放射線画像および左眼用放射線画像に対し、前記右眼用放射線画像のみを観察者の右眼に、前記左眼用放射線画像のみを観察者の左眼に入射させる立体視眼鏡と、前記右眼用放射線画像または前記左眼用放射線画像のいずれかを表示して前記観察者に平面視させる平面視表示と、前記右眼用放射線画像および前記左眼用放射線画像の両方を表示して前記立体視眼鏡を介して前記観察者に立体視させる立体視表示とを選択的に行う表示部とを備えた放射線画像表示装置の動作方法であって、
前記観察者が前記立体視眼鏡を装着しているか否かを判別し、
前記立体視眼鏡が所定空間内に位置しているか否かを検出し、
前記観察者が前記立体視眼鏡を装着し、且つ該立体視眼鏡が所定空間内に位置する場合に、前記立体視表示を行うことを特徴とする放射線画像表示装置の動作方法。
【発明の詳細な説明】
【技術分野】
【０００１】
本発明は放射線画像表示装置およびその動作方法に関する。より詳しくは、所定の視差を有する右眼用放射線画像および左眼用放射線画像に対し、これらの放射線画像のいずれかを表示する平面視表示と、両方の放射線画像を表示して立体視眼鏡を介しての立体表示とを選択的に行う放射線画像表示装置およびその動作方法に関する。
【背景技術】
【０００２】
従来、視差を有する２つの画像を表示して立体視眼鏡を介することにより、一方の画像のみを観察者の右眼に、他方の画像のみを観察者の左眼に入射させて立体視できることが知られている。
【０００３】
そして、このような立体視は、テレビ等の分野だけでなく、放射線撮影の分野においても利用されている。すなわち被写体に対して互いに異なる２つの撮影方向から放射線を照射し、その被写体を透過した放射線を放射線検出器によりそれぞれ検出して視差のある２つの放射線画像を取得して立体視表示することが行われている。このような立体視表示を行うことにより、奥行感のある放射線画像を観察することが可能となり、診断をより行いやすくできる。
【０００４】
立体視眼鏡を介しての立体視表示を行う方式としては、たとえば、２つの表示画面に分離して表示された各視差画像をハーフミラーによって光学的に結合し、偏光フィルタ付きの眼鏡を介して左右各眼に各視差画像を分離して入射させる偏光フィルタ方式や、１つの表示画面に各視差画像を高速に切り替えて表示し、その切り替えに同期して左右の視野を交互に遮蔽する液晶シャッタを有する眼鏡を介して左右各眼に各視差画像を分離して入射させるフレーム・シーケンシャル方式等が知られている。
【０００５】
このフレーム・シーケンシャル方式においては、観察者が眼鏡を外すと、１つの表示画面に表示されている両方の視差画像が両眼に入射するため、観察者は表示画面に二重像を観察することになる。このため、特許文献１には、眼鏡の傾きまたは着脱を検知して観察者が眼鏡を装着した状態で立体視表示を行う立体表示装置が開示されている。
【先行技術文献】
【特許文献】
【０００６】
【特許文献１】特開２００６−８４９６４号公報
【発明の概要】
【発明が解決しようとする課題】
【０００７】
ところで、立体視を行うためには、観察者が立体視眼鏡を装着して左右各眼に各視差画像を分離して入射させるだけではなく、各視差画像を合成できるように、観察者が眼鏡を装着して表示画面から所定空間内に位置する必要がある。しかしながら、特許文献１に提案される技術では、眼鏡を装着した観察者が立体視を行えない位置で観察しているにも関わらず、立体視表示が行われる虞がある。
【０００８】
本発明の目的は、上記事情に鑑み、立体視が正確に行える状態において立体視表示を行う放射線画像表示装置およびその動作方法を提供する。
【課題を解決するための手段】
【０００９】
上記の課題を解決するために、本発明の放射線画像表示装置は、所定の視差に対応する２つの撮影方向から被写体を放射線撮影して得られた右眼用放射線画像および左眼用放射線画像に対し、右眼用放射線画像のみを観察者の右眼に、左眼用放射線画像のみを観察者の左眼に入射させる立体視眼鏡と、右眼用放射線画像または左眼用放射線画像のいずれかを表示して観察者に平面視させる平面視表示と、右眼用放射線画像および左眼用放射線画像の両方を表示して立体視眼鏡を介して観察者に立体視させる立体視表示とを選択的に行う表示部と、観察者が立体視眼鏡を装着しているか否かを判別する装着判別部と、立体視眼鏡が所定空間内に位置しているか否かを判別する位置判別部と、表示部を制御する表示制御部とを備え、表示制御部が、観察者が立体視眼鏡を装着し、且つ立体視眼鏡が所定空間内に位置する場合に、立体視表示を行うように表示部を制御することを特徴とする。
【００１０】
また、本発明の放射線画像表示装置は、表示制御部が、観察者が立体視眼鏡を装着していないか、もしくは、立体視眼鏡が所定空間に位置していない場合、平面視表示を行うように表示部を制御するものであってもよい。
【００１１】
また、本発明の放射線画像表示装置は、観察者から平面視表示を行う旨の指示を受け付ける指示受付部を備え、観察者からの指示を受け付けた場合、表示制御部が、平面視表示を優先的に行うように表示部を制御するものであってもよい。ここで、本発明の放射線画像表示装置における「平面視表示を優先的に行う」とは、表示開始前に立体視表示が可能な場合や、立体視表示中であっても、平面視表示を優先的に行うことを意味する。
【００１２】
また、本発明の放射線画像表示装置は、平面視表示を行う際、表示部が、右眼用放射線画像または左眼用放射線画像のいずれかが立体視眼鏡を介して観察者の両眼に入射するように、平面視表示を行うものであってもよい。また、本発明の放射線画像表示装置は、平面視表示を行う際、立体視眼鏡が、右眼用放射線画像または左眼用放射線画像のいずれかを観察者の両眼に入射させるものであってもよい。
【００１３】
本発明の放射線画像表示装置の動作方法は、所定の視差に対応する２つの撮影方向から被写体を放射線撮影して得られた右眼用放射線画像および左眼用放射線画像に対し、右眼用放射線画像のみを観察者の右眼に、左眼用放射線画像のみを観察者の左眼に入射させる立体視眼鏡と、右眼用放射線画像または左眼用放射線画像のいずれかを表示して観察者に平面視させる平面視表示と、右眼用放射線画像および左眼用放射線画像の両方を表示して立体視眼鏡を介して観察者に立体視させる立体視表示とを選択的に行う表示部とを備えた放射線画像表示装置の動作方法であって、観察者が立体視眼鏡を装着しているか否かを判別し、立体視眼鏡の位置を検出し、観察者が立体視眼鏡を装着し、且つ立体視眼鏡が所定空間内に位置する場合に、立体視表示を行うことを特徴とする。
【発明の効果】
【００１４】
本発明の放射線画像表示装置およびその動作方法によれば、装着判別部が、観察者が立体視眼鏡を装着しているか否かを判別し、位置検出部が立体視眼鏡が所定空間内に位置しているか否かを判別し、表示制御部が、観察者が立体視眼鏡を装着し、且つ立体視眼鏡が所定空間内に位置する場合に、立体視表示を行うように表示部を制御することにより、観察者が眼鏡を装着して左右各眼に入射した左眼用放射線画像および右眼用放射線画像を合成できる空間内に位置した状態において立体視表示を行うことができる。
【００１５】
また、本発明の放射線画像表示装置によれば、表示制御部が、観察者が立体視眼鏡を装着していないか、もしくは、立体視眼鏡が所定空間に位置していない場合、平面視表示を行うように表示部を制御するため、観察者が立体視を行えない状態においては平面視表示を行うことができる。
【００１６】
また、本発明の放射線画像表示装置によれば、観察者から平面視表示を行う旨の指示を受け付ける指示受付部を備え、観察者からの指示を受け付けた場合、表示制御部が、平面視表示を優先的に行うように表示部を制御することにより、観察者が正確に立体視を行える場合や、立体視表示中であっても、平面視表示を行うことができる。
【００１７】
また、本発明の放射線画像表示装置によれば、平面視表示を行う際、表示部が、右眼用放射線画像または左眼用放射線画像のいずれかが立体視眼鏡を介して観察者の両眼に入射するように、平面視表示を行うことにより、立体視眼鏡を装着した観察者が両眼で平面視を行うことができる。また、本発明の放射線画像装置によれば、平面視表示を行う際、立体視眼鏡が、右眼用放射線画像または左眼用放射線画像のいずれかを観察者の両眼に入射させるため、立体視眼鏡を装着した観察者が両眼で平面視を行うことができる。
【図面の簡単な説明】
【００１８】
【図１】放射線画像撮影表示システムの概略構成図
【図２】放射線画像撮影装置の一部正面図
【図３】放射線画像表示装置の概略構成図（その１）
【図４】モニタと立体視眼鏡との位置関係を示す図（その１）
【図５】平面視表示または立体視表示に関する一連の処理を示すフローチャート
【図６】放射線画像表示装置の概略構成図（その２）
【図７】モニタと立体視眼鏡との位置関係を示す図（その２）
【発明を実施するための形態】
【００１９】
本発明に係る放射線画像表示装置の一実施形態について図面を参照して説明する。図１は本発明の一実施形態である放射線画像表示装置を用いた放射線画像撮影表示システムの概略構成図である。放射線画像撮影表示システム１は、図１に示すように、放射線画像撮影装置１０および放射線画像表示装置４０から構成されている。
【００２０】
放射線画像撮影表示システム１においては、放射線画像撮影装置１０が被写体である乳房Ｍを所定の視差に対応する異なる２つの撮影方向から放射線撮影し、左眼用放射線画像ＧＬおよび右眼用放射線画像ＧＲを取得する。そして放射線画像表示装置４０が、左眼用放射線画像ＧＬまたは右眼用放射線画像ＧＲのいずれかを表示して観察者に平面視させる平面視表示と左眼用放射線画像ＧＬおよび右眼用放射線画像ＧＬが左右各眼に分離して入射するように、両方を表示して観察者に立体視させる立体視表示とを選択的に行うものである。
【００２１】
最初に、放射線画像撮影装置１０について説明する。放射線画像撮影装置１０は、乳房Ｍに互いに異なる２つの撮影方向から放射線を照射することでステレオ撮影を行い、乳房Ｍの左眼用放射線画像ＧＬおよび右眼用放射線画像ＧＲを取得し、これらの放射線画像データを画像ファイルＧＦに格納して放射線画像表示装置４０に送信するものである。
【００２２】
放射線画像撮影装置１０は、図１に示すように、基台１１と、基台１１に対して上下方向（Ｚ方向）に移動可能であり、且つ回転可能な回転軸１２と、回転軸１２により基台１１と連結されたアーム部１３とを備えている。
【００２３】
アーム部１３はＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００２４】
撮影台１４の内部には、フラットパネルディテクタ等の放射線検出器１５と、放射線検出器１５からの電荷信号の読み出しを制御する検出器コントローラ３３が備えられている。また、撮影台１４の内部には、放射線検出器１５から読み出された電荷信号を電圧信号に変換するチャージアンプや、チャージアンプから出力された電圧信号をサンプリングする相関二重サンプリング回路や、電圧信号をデジタル信号に変換するＡ／Ｄ変換部等も設けられた回路基板等も備えられている。
【００２５】
また、撮影台１４はアーム部１３に対し回転可能に構成されているが、ステレオ撮影のときには基台１１に対してアーム部１３が回転した場合でも、撮影台１４の向きは基台１１に対し固定された向きにできる。
【００２６】
放射線検出器１５は、電荷信号の記録と読み出しを繰り返して行うことができるものであり、放射線の照射を直接受けて電荷を発生する、いわゆる直接型の放射線画像検出器を用いてもよいし、放射線を一旦可視光に変換し、その可視光を電気信号に変換する、いわゆる間接型の放射線画像の検出器を用いるようにしてもよい。
【００２７】
また、電荷信号の読出方式としては、ＴＦＴ（thin film transistor）スイッチをオン・オフさせることによって電荷信号が読み出される、いわゆるＴＦＴ読出方式のものを用いることが望ましいが、これに限らずその他のものを用いるようにしてもよい。
【００２８】
放射線照射部１６の内部には放射線源１７と、放射線源コントローラ３２が格納されている。放射線源コントローラ３２は、放射線源１７から放射線を照射するタイミングと、放射線源１７における放射線発生条件（管電流（ｍＡ）、照射時間（ｍｓ）、管電圧（ｋＶ）等）を制御するものである。
【００２９】
また、アーム部１３の中央部には、撮影台１４の上方に配置されて乳房Ｍを押さえつけて圧迫する圧迫板１８と、その圧迫板１８を支持する支持部２０と、支持部２０を上下方向（Ｚ方向）に移動させる移動機構１９とが設けられている。圧迫板１８の位置、圧迫厚は、圧迫板コントローラ３４により制御される。
【００３０】
制御部３０は、中央処理装置（ＣＰＵ）、半導体メモリやハードディスクやＳＳＤ等のストレージデバイス、入力部３０ａを備えている。制御部３０は、各種のコントローラ３１〜３４に対して所定の制御信号を出力し、放射線画像撮影装置１０の全体の制御を行うものである。そして、制御部３０は、ステレオ撮影によって放射線検出器１５で検出された電荷信号に所定の信号処理を施した放射線画像データを画像ファイルＧＦに格納して放射線画像表示装置４０に送信する。
【００３１】
入力部３０ａは、たとえば、キーボードやマウス等のポインティングデバイスから構成されるものであり、ＣＣ（頭尾方向）や、ＭＬＯ（内外斜位方向）等の撮影種類や、ステレオ撮影における、アーム部１３が放射線検出器１５の検出面１５ａに垂直な方向に対してなす角度である撮影角度θを含む撮影条件の入力や撮影開始の入力を受け付けるものである。
【００３２】
図２は放射線画像撮影装置１０の一部正面図である。放射線画像撮影装置１０の作用について、図１および図２を用いて説明する。まず、撮影台１４の上に乳房Ｍが設置され、圧迫板１８により乳房Ｍを所定の圧力で圧迫する。
【００３３】
次に、入力部３０ａにおいて、撮影者による乳房Ｍの撮影指示が入力されて撮影が開始する。制御部３０は入力された撮影種類を読み出し、撮影種類の情報をアームコントローラ３１に出力する。なお、本実施形態においては、撮影種類としてＣＣ（頭尾方向）が入力されたものとするが、特に限定されるものではない。
【００３４】
制御部３０は３次元撮影における互いに異なる２つの撮影角度θの組み合わせを読み出し、一方の撮影角度θの情報をアームコントローラ３１に出力する。本実施形態において、撮影角度θは、図２示すように時計回りを正方向、反時計回りを負方向とする。なお、本実施形態においては、撮影角度θ＝０°および＋４°が入力されたものとするが、特に限定されるものではない。
【００３５】
そして、アームコントローラ３１が、制御部３０から出力された撮影種類および撮影角度θ＝０°の情報を受け付け、アーム部１３が、図２に示すように、検出面１５ａに垂直となる制御信号を出力する。
【００３６】
そして、アームコントローラ３１から出力された制御信号に応じてアーム部１３が検出面１５ａに対して垂直である０°となる状態において、制御部３０は、放射線源コントローラ３２および検出器コントローラ３３に対して放射線の照射と右眼用放射線画像ＧＲの放射線画像データの読み出しを行うように制御信号を出力する。
【００３７】
この制御信号に応じて、放射線源１７が放射線を照射し、放射線検出器１５が照射された放射線を検出し、検出器コントローラ３３によって放射線検出器１５から電荷信号が読み出される。制御部３０が、この電荷信号に所定の信号処理を施して右眼用放射線画像ＧＲの放射線画像データを記憶する。
【００３８】
次に、アームコントローラ３１が、制御部３０から出力された撮影角度θ＝＋４°の情報に基づき、アーム部１３が、図２に示すように、検出面１５ａに垂直な方向に対して＋４°傾くような制御信号を出力する。
【００３９】
そして、アームコントローラ３１から出力された制御信号に応じてアーム部１３が検出面１５ａに対して＋４°傾いた状態において、制御部３０は、放射線源コントローラ３２および検出器コントローラ３３に対して放射線の照射と左眼用放射線画像ＧＬの放射線画像データの読み出しを行うように制御信号を出力する。
【００４０】
この制御信号に応じて、放射線源１７が放射線を照射し、放射線検出器１５が照射された放射線を検出し、検出器コントローラ３３によって放射線検出器１５から電荷信号が読み出される。制御部３０は、この電気信号に所定の信号処理を施して左眼用放射線画像ＧＬの放射線画像データを記憶する。制御部３０は、乳房Ｍの右眼用放射線画像ＧＲおよび左眼用放射線画像ＧＬのそれぞれの放射線画像データを画像ファイルＧＦに格納して放射線画像表示装置４０に送信する。
【００４１】
なお、本実施形態では、撮影角度θ＝０°で右眼用放射線画像ＧＲの放射線画像データ、撮影角度θ＝＋４°で左眼用放射線画像ＧＬの放射線画像データの順でそれぞれ読み出して記憶をするものであるが、特に限定されるものではない。すなわち撮影角度θ＝０°で左眼用放射線画像ＧＬの放射線画像データ、撮影角度θ＝＋４°で右眼用放射線画像ＧＲの放射線画像データの順でそれぞれ読み出して記憶してもよい。
【００４２】
次に放射線画像表示装置４０について説明する。図３は放射線画像表示装置の概略構成図である。放射線画像表示装置４０は、図３に示すように、モニタ４１と、立体視眼鏡４２と、コンピュータ４３と、入力部４４とから構成されている。
【００４３】
放射線画像表示装置４０は、観察者に左眼用放射線画像ＧＬまたは右眼用放射線画像ＧＲのいずれか平面視させる平面視表示と、立体視眼鏡４２を介して観察者に左眼用放射線画像ＧＬおよび右眼用放射線画像ＧＲを立体視させる立体視表示とを選択的に行うものである。なお、図３は立体視表示中の放射線画像表示装置４０を示している。
【００４４】
モニタ４１は、左眼用放射線画像ＧＬまたは右眼用放射線画像ＧＲのいずれかを表示することで平面視表示を行い、左眼用放射線画像ＧＬまたは右眼用放射線画像ＧＲの両方をフレーム・シーケンシャル方式、すなわち左眼用放射線画像ＧＬ、右眼用放射線画像ＧＲ、左眼用放射線画像ＧＬ、右眼用放射線画像ＧＲ・・・というように、たとえば、数十ｍｓｅｃ程度の周期で切り替えて表示することで立体視表示を行うものである。なお、モニタ４１は、必要に応じてモニタ画面４１１に撮影条件や、診断レポート等も表示できる。
【００４５】
立体視眼鏡４２は、左眼用部分４２１および右眼用部分４２２に、互いに独立して開閉する液晶シャッタを有している。これらの液晶シャッタは、コンピュータ４３によって左眼用放射線画像ＧＬの表示中は左眼用部分４２１が開で右眼用部分４２２が閉、右眼用放射線画像ＧＲの表示中は左眼用部分４２１が閉で右眼用部分４２２が開となるように、前述の左眼用放射線画像ＧＬと右眼用放射線画像ＧＲとの切り替えに同期して開閉制御される。
【００４６】
また、立体視眼鏡４２は、観察者が眼鏡を装着しているか否かを検出するタッチセンサ４２３を有している。さらに、立体視眼鏡４２は、左眼用部分４２１と右眼用部分４２２との間に位置検出センサ４２４を有しており、位置検出センサ４２４は立体視眼鏡４２の三次元位置を検出するものである。位置検出センサ４２４としては公知の磁気センサや加速度センサなどを用いることができる。
【００４７】
コンピュータ４３には、本実施形態による放射線画像表示装置として機能させるためのプログラムがインストールされている。コンピュータ４３は、中央処理装置（ＣＰＵ）および半導体メモリやハードディスクやＳＳＤ等のストレージデバイス等を備えており、これらのハードウェアにより、制御部４３１、装着判別部４３２、位置判別部４３３、表示制御部４３４および入力部４４を構成している。
【００４８】
制御部４３１は、放射線撮影装置１０から画像ファイルＧＦを受信するとともに、コンピュータ４３の全体を制御するものである。装着判別部４３２は、タッチセンサ４２３からの情報に基づいて、観察者が立体視眼鏡４２を装着しているか否かを判別するものである。装着判別部４３２は、タッチセンサ４２３がオン状態の場合に観察者が立体視眼鏡４２を装着し、タッチセンサ４２３がオフ状態の場合に観察者が立体視眼鏡４２を脱着していると判別する。
【００４９】
位置判別部４３３は、位置検出センサ４２４からの情報に基づいて、立体視眼鏡４２が立体視可能な有効空間Ｓ内に位置しているか否かを判別するものである。この有効空間Ｓは、モニタ４１に対する位置で設定される。図４はモニタ４１と立体視眼鏡４２との位置関係を示す図であり、図４の上図は平面図、下図は側面図である。
【００５０】
有効空間Ｓは、モニタ画面４１１の中心Ｏから０．５〜１．５ｍ程度以内であり、中心Ｏを通るモニタ画面４１１に垂直な方向に対して図４の上図に示すように左右方向に３５°程度振り分けた領域内であるとともに、図４の下図に示すように上下方向に３５°程度振り分けた領域内である。なお、有効空間Ｓは、モニタ画面４１１の大きさに応じて変化するものであり、モニタ画面４１１が大きく成るほど大きく設定される。
【００５１】
再び図３を用いて説明する。表示制御部４３４は、装着判別部４３２および位置判別部４３３の判別結果に基づいて、モニタ４１の表示を制御するものである。表示制御部４３４は、観察者が立体視眼鏡４２を装着しており、且つ有効空間Ｓ内に位置する場合、モニタ画面４１１に左眼用放射線画像ＧＬおよび右眼用放射線画像ＧＲの両方を表示する立体視表示を行うように、モニタ４１を制御する。これにより、観察者は立体視眼鏡４２を介して左眼用放射線画像ＧＬおよび右眼用放射線画像ＧＲを立体視できる。なお、モニタ４１は前述のフレーム・シーケンシャル方式で立体視表示を行う。
【００５２】
また、表示制御部４３４は、観察者が立体視眼鏡４２を装着していないか、もしくは、立体視眼鏡４２が有効空間Ｓ内に位置していない場合、モニタ画面４１１に左眼用放射線画像ＧＬまたは右眼用放射線画像ＧＲのいずれかを表示する平面視表示を行うように、モニタ４１を制御する。
【００５３】
入力部４４は、キーボード、マウス等のポインティングデバイスから構成されるものであり、観察者からの表示に関する指示、たとえば、表示開始、表示終了、平面視表示の優先、左眼用放射線画像ＧＬ、右眼用放射線画像ＧＲのいずれを平面視表示画像とするか等の指示を受け付けるものである。
【００５４】
入力部４４が平面視表示の指示を受け付けると、表示制御部４３４は、表示自体を行う前に立体視表示が可能な場合や、立体視表示中であっても、左眼用放射線画像ＧＬ、右眼用放射線画像ＧＲのいずれかを表示して平面視表示を優先的に行う。
【００５５】
平面視表示を行う際、表示制御部４３４が、左眼用放射線画像ＧＬ（または右眼用放射線画像ＧＲ）を表示するように、モニタ４１を制御する。この際、表示制御部４３４が、モニタ４１に左眼用放射線画像ＧＬ（または右眼用放射線画像ＧＲ）を表示させ続けると、放射線画像の切り替えが行われないため、観察者は立体視眼鏡４２の左眼用部分４２１（または右眼用部分４２２）の液晶シャッタが開、右眼用部分４２２（または左眼用部分４２１）の液晶シャッタが閉の状態で左眼用放射線画像ＧＬ（または右眼用放射線画像ＧＲ）を観察する。すなわち観察者は、左眼（または右眼）のみで左眼用放射線画像ＧＬ（または右眼用放射線画像ＧＲ）を観察することになる。
【００５６】
したがって、平面視表示を行う際、コンピュータ４３は、立体視眼鏡４２の左眼用部分４２１および右眼用部分４２２の両方の液晶シャッタが開となるように制御するものであってもよい。また、平面視表示を行う際、立体視眼鏡４２の制御を変更せずに、表示制御部４３４が、左眼用放射線画像ＧＬ（または右眼用放射線画像ＧＲ）、左眼用放射線画像ＧＬ（または右眼用放射線画像ＧＲ）・・というように、同一の放射線画像を切り替えて表示するものであってもよい。これにより、立体視眼鏡４２を装着している観察者が両眼で左眼用放射線画像ＧＬ（または右眼用放射線画像ＧＲ）を平面視できる。
【００５７】
次に放射線画像表示装置４０における平面視表示または立体視表示に関する処理について説明する。図５は、平面視表示または立体視表示における一連の処理を示すフローチャートである。
【００５８】
最初に、制御部４３１が放射線撮影装置１０から画像ファイルＧＦを受信する（ＳＴ１）。次に、入力部４４が、平面視表示をする際に、左眼用放射線画像ＧＬまたは右眼用放射線画像ＧＲのいずれを平面視表示用の画像とするかの観察者からの指示を受け付ける（ＳＴ２）。なお、平面視表示用の画像は予めデフォルトで設定されていてもよい。
【００５９】
入力部４４が表示を開始する旨の指示を受け付ける（ＳＴ３）。また、表示開始の前に入力部４４が平面視表示を優先させる旨の指示を受け付けると（ＳＴ４）、表示制御部４３４は、左眼用放射線画像ＧＬまたは右眼用放射線画像ＧＲのいずれをモニタ４１に平面視表示させる（ＳＴ５）。
【００６０】
平面視表示を優先させる旨の指示がない場合、装着判別部４３２が、観察者が立体視眼鏡４２を装着しているか否かを判別し（ＳＴ６）、位置判別部４３３が立体視眼鏡４２が有効空間Ｓ内に位置するか否かを判別する（ＳＴ７）。表示制御部４３４は、観察者が立体視眼鏡４２を装着していないか、もしくは、立体視眼鏡４２が有効空間Ｓ内に位置していない場合、モニタ４１に平面視表示させる（ＳＴ５）。表示制御部４３４が、観察者が立体視眼鏡４２を装着しており、且つ立体視眼鏡４２が有効空間Ｓ内に位置する場合、モニタ４１に左眼用放射線画像ＧＬおよび右眼用放射線画像ＧＲを立体視表示させる（ＳＴ８）。
【００６１】
平面視表示または立体視表示している際に、入力部４４が表示終了の指示を受け付けたか否かを確認し（ＳＴ９）、表示終了の指示を受け付けると一連の処理が終了する。入力部４４が表示終了の指示を受け付けないと、再び入力部４４による平面視表示を優先させる旨の指示の受け付けの確認（ＳＴ４）、装着判別部４３２による立体視眼鏡４２の装着の判別（ＳＴ６）および位置判別部４３３による立体視眼鏡４２が有効空間Ｓ内か否かの判別（ＳＴ７）が繰り返し行われる。
【００６２】
すなわち入力部４４が表示終了の指示を受け付けるまでに、平面視表示中に観察者が立体視眼鏡４２を装着し、且つ立体視眼鏡４２が有効空間Ｓ内に位置する場合は、表示制御部４３４が、モニタ４１に立体視表示を行うように切り替え（ＳＴ８）、立体視表示中に、入力部４４が平面視表示を優先させる旨の観察者からの指示を受け付けた場合、観察者が立体視眼鏡４２を脱着した場合、もしくは、立体視眼鏡４２が有効空間Ｓ内に位置しない場合、表示制御部４３４はモニタ４１に平面視表示を優先的に行わせる（ＳＴ５）。なお、各部の処理は、制御部４３１の制御命令によって行われる。
【００６３】
上記の実施形態によれば、装着判別部４３２が、立体視眼鏡４２が装着されているか否かを判別するとともに、位置判別部４３３が立体視眼鏡４２が有効空間Ｓ内に位置しているか否かを判別し、表示制御部４３４が、観察者が立体視眼鏡４２を装着し、且つ立体視眼鏡４２が有効空間Ｓ内に位置する場合に、立体視表示を行うようにモニタ４１を制御するため、立体視眼鏡４２を装着した観察者が左眼用放射線画像ＧＬおよび右眼用放射線画像ＧＲを立体視できる状態においてモニタ４１が立体視表示を行うことができる。
【００６４】
また、上記の実施形態によれば、表示制御部４３４が、観察者が立体視眼鏡４２を装着していないか、もしくは、立体視眼鏡４２が有効空間Ｓ内に位置していない場合、平面視表示を行うようにモニタ４１を制御することにより、観察者が立体視を行えない状態においては平面視表示を行うことができる。
【００６５】
また、上記の実施形態によれば、入力部４４が平面視表示を優先させる旨の指示を受け付けた場合、表示制御部４３４が、平面視表示を優先的に行うようにモニタ４１を制御するため、立体視中の観察者が必要に応じて平面視によって観察することもできる。
【００６６】
また、上記の実施形態によれば、平面視表示を行う際、モニタ４１が、同一の左眼用放射線画像ＧＬ（または右眼用放射線画像ＧＲ）を切り替えて表示するため、立体視眼鏡４２を介しても観察者が左眼用放射線画像ＧＬまたは右眼用放射線画像ＧＲのいずれかを両眼で平面視することができる。
【００６７】
また、上記の実施形態によれば、平面視を行う際、立体視眼鏡４２が、左眼用放射線画像ＧＬ（または右眼用放射線画像ＧＲ）を観察者の両眼に入射させるため、立体視眼鏡４２を介しても観察者が左眼用放射線画像ＧＬまたは右眼用放射線画像ＧＲのいずれかを両
眼で平面視することができる。
【００６８】
なお、上記の実施形態においては、モニタ４１がフレーム・シーケンシャル方式で立体視表示を行う形態を説明したが、これに限定されず、図６に示すように、モニタ４１が上下方向に隣接した２つのモニタ画面４１１，４１２、モニタ画面４１１，４１２の間に設けられたハーフミラー４１３およびモニタ画面４１１，４１２のなす角度を調整するヒンジ機構４１４を備え、モニタ画面４１１，４１２が、右眼用放射線画像ＧＲおよび左眼用放射線画像ＧＬを互いに直交する偏光によって表示する２画面偏光方式で立体視表示を行う形態であってもよい。
【００６９】
ヒンジ機構４１４が、モニタ画面４１１をモニタ画面４１２に対して傾けることにより、ハーフミラー４１３が、モニタ画面４１１の表示光を図中実線で示すように反射させるとともに、モニタ画面４１２の表示光を図中破線で示すように透過させ、右眼用放射線画像ＧＲと左眼用放射線画像ＧＬとを所定の視差を有するように重ね合わせて光学的に結合する。
【００７０】
立体視眼鏡４２は、左眼用部分４２１および右眼用部分４２２に、左眼用画像ＧＬのみを透過させる左眼用偏光レンズと右眼用画像ＧＲのみを透過させる右眼用偏光レンズとを有している。これにより、左眼用画像ＧＬおよび右眼用画像ＧＲを観察者の左右各眼に入射させて立体視表示を行うものであってもよい。
【００７１】
この２画面偏光方式を用いた形態における有効空間Ｓは、ハーフミラー４１３に対する位置で設定される。有効空間Ｓは、ハーフミラー４１３の中心Ｏから０．５〜１．５ｍ程度以内であり、中心Ｏを通るハーフミラー４１３の法線に対して図７の上図に示すように左右方向に３５°程度振り分けた領域内であるとともに、図７の下図に示すように上下方向に３５°程度振り分けた領域内である。なお、有効空間Ｓは、モニタ画面４１１，４１２の大きさに応じて変化するものであり、モニタ画面４１１，４１２が大きく成るほど大きく設定される。
【００７２】
このような２画面偏光方式において、平面視表示する場合は、モニタ画面４１１，４１２のいずれかに放射線画像を表示しないように制御するか、２つのモニタ画面４１１，４１２に同一の放射線画像を表示するようにすればよい。
【００７３】
なお、上記の実施形態においては、被写体を乳房Ｍとして説明したが特に限定されるものではなく、腹部や脚部等を被写体とするものであってもよい。
【符号の説明】
【００７４】
Ｍ      乳房（被写体）
Ｓ      有効空間（所定空間）
４０    放射線画像表示装置
４１    モニタ（表示部）
４１１  モニタ画面（表示画面）
４２    立体視眼鏡
４３２  装着判別部
４３３  位置判別部
４３４  表示制御部
４３５  入力部（指示受付部）
【図１】
2013013716.tif 000003
【図２】
2013013716.tif 000004
【図３】
2013013716.tif 000005
【図４】
2013013716.tif 000006
【図５】
2013013716.tif 000007
【図６】
2013013716.tif 000008
【図７】
2013013716.tif 000009